(57)【特許請求の範囲】
【請求項１】
制御部と記憶部とを少なくとも備えた第１の情報処理装置と、制御部と記憶部と表示部とを少なくとも備えた第２の情報処理装置と、を通信可能に接続したＢＩＭシステムであって、前記第２の情報処理装置の記憶部は、建築物のＢＩＭモデルを記憶するＢＩＭモデル記憶手段を備え、前記第１の情報処理装置の記憶部は、前記ＢＩＭモデルに組込可能な昇降機のＢＩＭパーツを記憶するパーツ情報記憶手段と、建設工程を構成する工程毎に、昇降機のＢＩＭパーツと、建設工程に共通している昇降機のＢＩＭパーツを識別する識別情報と、を対応付けて記憶する複数の工程管理記憶手段と、を備え、前記第２の情報処理装置の制御部は、前記第１の情報処理装置から、前記第２の情報処理装置が行っている工程に対応する、前記昇降機のＢＩＭパーツを取得する取得手段と、前記昇降機のＢＩＭパーツに対する前記識別情報の生成の要求を受け付けた場合に、前記第１の情報処理装置に前記識別情報の生成の要求を送信する要求手段と、前記第１の情報処理装置から受信した、前記生成の要求に応じて生成された前記識別情報と、前記昇降機のＢＩＭパーツと、を対応付けて、前記第１の情報処理装置に送信する送信手段と、を備え、前記第１の情報処理装置の制御部は、前記第２の情報処理装置から前記識別情報の生成の要求を受信した場合に、前記識別情報を生成する識別情報生成手段と、前記識別情報を前記第２の情報処理装置に送信する情報送受信手段と、前記第２の情報処理装置から受信した、前記識別情報と、前記昇降機のＢＩＭパーツと、を対応付けて、前記第２の情報処理装置が行っている工程に対応する工程管理記憶手段に登録する登録手段と、を備えたＢＩＭシステム。
【請求項２】
前記第２の情報処理装置の前記制御部は、前記建設工程に含まれる所定の工程を完了したことを示す承認ボタンの選択を受け付け、当該選択を受け付けた旨と、承認された昇降機のＢＩＭパーツを識別する前記識別情報と、を前記第１の情報処理装置に送信する受付手段をさらに備え、前記第１の情報処理装置の前記記憶部は、前記工程管理記憶手段が、前記第２の情報処理装置から、前記所定の工程を完了したことを示す情報と前記識別情報とを受信した場合に、前記所定の工程及び前記識別情報に対応する、前記昇降機のＢＩＭパーツの更新を抑止する、請求項１に記載のＢＩＭシステム。
【請求項３】
前記第２の情報処理装置の前記制御部は、建築物のＢＩＭモデルのうち、前記昇降機のＢＩＭパーツの周囲を切り出す制御を行う切出制御手段を、さらに備え、前記送信手段は、切り出された当該周囲のＢＩＭパーツと、前記昇降機のＢＩＭパーツを識別する前記識別情報と、を対応付けて、前記第１の情報処理装置に送信し、前記第１の情報処理装置の前記制御手段は、前記登録手段が、前記第２の情報処理装置から受信した、前記周囲のＢＩＭパーツと、当該周囲のＢＩＭパーツに含まれる前記昇降機のＢＩＭパーツを識別する識別情報と、を対応付けて、当該ＢＩＭパーツに対応する工程の前記工程管理記憶手段に登録する、請求項１又は２に記載のＢＩＭシステム。
【請求項４】
前記第２の情報処理装置の前記制御部は、前記昇降機のＢＩＭパーツに対する識別情報の生成の要求を受け付けた場合に、前記第１の情報処理装置に前記識別情報の生成の要求を送信する要求手段を、備え、前記第１の情報処理装置の前記制御部は、前記第２の情報処理装置から生成の要求を受信した場合に、建設工程に共通している、昇降機を識別する識別情報を生成する識別情報生成手段と、前記識別情報を前記第２の情報処理装置に送信する情報送受信手段と、を備える、請求項１乃至３のいずれか一つに記載のＢＩＭシステム。
【請求項５】
前記第１の情報処理装置の記憶部は、前記工程管理記憶手段は、建設工程を構成する工程毎に備えられたものであって、当該工程に応じた粒度の昇降機のＢＩＭパーツを記憶する、請求項１乃至４のいずれか一つに記載のＢＩＭシステム。
【請求項６】
前記ＢＩＭシステムは、さらに、制御部を少なくとも備えた第３の情報処理装置を通信可能に接続され、前記第３の情報処理装置の前記制御部は、前記第１の情報処理装置の前記工程管理記憶手段から、前記昇降機のＢＩＭパーツと前記識別情報を受信し、前記昇降機のＢＩＭパーツを編集した後、前記昇降機のＢＩＭパーツと前記識別情報を前記第１の情報処理装置に送信すると共に、前記第２の情報処理装置に編集が完了した旨を送信する通信手段を備え、前記第１の情報処理装置の前記記憶手段は、前記工程管理記憶手段は、前記第３の情報処理装置から受信した、編集された後の前記昇降機のＢＩＭパーツと前記識別情報と、を記憶し、前記第２の情報処理装置の前記制御部は、前記取得手段が、前記第３の情報処理装置から編集が完了した旨を受信した場合に、前記工程管理記憶手段に記憶されている、編集された後の前記昇降機のＢＩＭパーツと前記識別情報とを取得する、
請求項１乃至５のいずれか一つに記載のＢＩＭシステム。
【請求項７】
制御部と記憶部とを少なくとも備えた第１の情報処理装置と、制御部と記憶部と表示部とを少なくとも備えた第２の情報処理装置と、を通信可能に接続したＢＩＭシステムにおいて、実行される方法であって、前記第２の情報処理装置の記憶部は、建築物のＢＩＭモデルを記憶するＢＩＭモデル記憶手段を備え、前記第１の情報処理装置の記憶部は、前記ＢＩＭモデルに組込可能な昇降機のＢＩＭパーツを記憶するパーツ情報記憶手段と、建設工程を構成する工程毎に、昇降機のＢＩＭパーツと、建設工程に共通している昇降機のＢＩＭパーツを識別する識別情報と、を対応付けて記憶する複数の工程管理記憶手段と、を備え、前記第２の情報処理装置の制御部において実行される、前記第１の情報処理装置から、前記第２の情報処理装置が行っている工程に対応する、前記昇降機のＢＩＭパーツを取得する取得ステップと、前記第２の情報処理装置の制御部において実行される、前記昇降機のＢＩＭパーツに対する前記識別情報の生成の要求を受け付けた場合に、前記第１の情報処理装置に前記識別情報の生成の要求を送信する要求ステップと、前記第２の情報処理装置の制御部において実行される、前記第１の情報処理装置から受信した、前記生成の要求に応じて生成された前記識別情報と、前記昇降機のＢＩＭパーツと、を対応付けて、前記第１の情報処理装置に送信する送信ステップと、前記第１の情報処理装置の制御部において実行される、前記第２の情報処理装置から前記識別情報の生成の要求を受信した場合に、前記識別情報を生成する識別情報生成ステップと、
前記第１の情報処理装置の制御部において実行される、前記識別情報を前記第２の情報処理装置に送信する情報送受信ステップと、前記第１の情報処理装置の制御部において実行される、前記第２の情報処理装置から受信した、前記識別情報と、前記昇降機のＢＩＭパーツと、を対応付けて、前記第２の情報処理装置が行っている工程に対応する工程管理記憶手段に登録する登録ステップと、を含む方法。
【発明の詳細な説明】
【技術分野】
【０００１】
本発明の実施形態は、ＢＩＭシステム及び方法に関する。
【背景技術】
【０００２】
従来、昇降機メーカの担当者は、昇降機を備える建築物を設計する客先に対して、平面図や断面図等の二次元図面およびカタログや納入実績等の写真を使用して、昇降機の設備計画を提案していた。
【０００３】
近年、ＢＩＭシステムの普及に伴い、建築物に備えられる昇降機についてＢＩＭのパーツとして提供することで、昇降機を視覚的に分かりやすく表示する技術が提案されている。
【先行技術文献】
【特許文献】
【０００４】
【特許文献１】特開２０１０−２６２５８０号公報
【発明の概要】
【発明が解決しようとする課題】
【０００５】
しかしながら、従来技術においては、建築工程の工程毎に、ＢＩＭのパーツの詳細具合が異なる。このため、建築工程を通して、昇降機のパーツの情報を管理するのが難しかった。
【０００６】
本実施形態が解決しようとする課題は、建築工程において、昇降機のパーツ情報の管理を容易にすることができるＢＩＭシステム及び方法を提供することである。
【課題を解決するための手段】
【０００７】
実施形態のＢＩＭシステムは、制御部と記憶部とを少なくとも備えた第１の情報処理装置と、制御部と記憶部と表示部とを少なくとも備えた第２の情報処理装置と、を通信可能に接続したＢＩＭシステムである。第２の情報処理装置の記憶部は、ＢＩＭモデル記憶手段を備える。ＢＩＭモデル記憶手段は、建築物のＢＩＭモデルを記憶する。第１の情報処理装置の記憶部は、パーツ情報記憶手段と、複数の工程管理記憶手段と、を備える。パーツ情報記憶手段は、ＢＩＭモデルに組込可能な昇降機のＢＩＭパーツを記憶する。複数の工程管理記憶手段は、建設工程を構成する工程毎に、昇降機のＢＩＭパーツと、建設工程に共通している昇降機のＢＩＭパーツを識別する識別情報と、を対応付けて記憶する。第２の情報処理装置の制御部は、取得手段と、要求手段と、送信手段と、を備える。取得手段は、第１の情報処理装置から、第２の情報処理装置が行っている工程に対応する、昇降機のＢＩＭパーツを取得する。要求手段は、昇降機のＢＩＭパーツに対する識別情報の生成の要求を受け付けた場合に、第１の情報処理装置に識別情報の生成の要求を送信する。送信手段は、第１の情報処理装置から受信した、生成の要求に応じて生成された識別情報と、昇降機のＢＩＭパーツと、を対応付けて、第１の情報処理装置に送信する。第１の情報処理装置の制御部は、識別情報生成手段と、情報送受信手段と、登録手段と、を備える。識別情報生成手段は、第２の情報処理装置から識別情報の生成の要求を受信した場合に、識別情報を生成する。情報送受信手段は、識別情報を第２の情報処理装置に送信する。登録手段は、第２の情報処理装置から受信した、識別情報と、昇降機のＢＩＭパーツと、を対応付けて、第２の情報処理装置が行っている工程に対応する工程管理記憶手段に登録する。
【図面の簡単な説明】
【０００８】
【図１】図１は、建築物の設計図書およびＢＩＭモデルの一例を示す概念図である。
【図２】図２は、実施形態の建築物の建築工程に含まれるフェーズを例示した図である。
【図３】図３は、実施形態におけるＢＩＭシステムの構成の一例を示すブロック図である。
【図４】図４は、実施形態のパーツ情報データベース内のフェーズ毎のパーツ情報を例示した図である。
【図５】図５は、実施形態における、昇降機のＢＩＭパーツと、サポートキーと、の対応関係を例示した図である。
【図６】図６は、昇降機のＢＩＭパーツを建築物のＢＩＭモデルに組み込んだ状態の昇降機組込建築物に対応する統合ＢＩＭモデルの一例を示す図である。
【図７】図７は、実施形態の端末装置に表示される、工程管理アプリケーションの検知者側の画面例を示した図である。
【図８】図８は、実施形態のＢＩＭシステムにおける、サポートキーが表示されるまでの概念を例示した図である。
【図９】図９は、実施形態のＢＩＭシステムにおける、設計データベースにＢＩＭパーツが登録されるまでの概念を例示した図である。
【図１０】図１０は、実施形態のＢＩＭシステムにおいて、複数業者で用いられるＢＩＭパーツの流れを例示した図である。
【図１１】図１１は、実施形態の表示編集部が表示する工程管理画面を例示した図である。
【図１２】図１２は、実施形態におけるＢＩＭシステムのサポートキーに関連する処理の一例を示すフローチャートである。
【図１３】図１３は、実施形態におけるＢＩＭシステムにより実行される建設工程の各フェーズで行われる基本的な処理の一例を示すフローチャートである。
【図１４】図１４は、実施形態におけるＢＩＭシステムにおける、ＢＩＭパーツの生成処理、及びＢＩＭパーツとサポートキーとを対応付ける処理の一例を示すフローチャートである。
【発明を実施するための形態】
【０００９】
以下に、本発明にかかるＢＩＭシステム及び方法の実施形態を図面に基づいて詳細に説明する。なお、この実施形態によりこの発明が限定されるものではない。
【００１０】
ここで、図１を参照して、実施形態において利用されるＢＩＭの概要について説明する。図１は、建築物の設計図書およびＢＩＭモデルの一例を示す概念図である。図１では、建築物の設計図書による設計方法とＢＩＭによる設計方法との違いを表している。図１の左側に示すように、建築物の設計図書による設計方法では、建築物の設計に関わる各業種が個々に専門図面を作成しているため、各々が関連性および整合性を各々とる必要がある。つまり、建築物の設計図書による設計方法では、例えば関連する設計図書の修正が必要となり、その整合性のチェックも必要となる。一方、図１の右側に示すＢＩＭによる設計方法では、各業種にて建物全体のデータである建築物の３次元モデル（すなわち、建築物のＢＩＭモデル）を共有することができるので、１個のデータ上で関連性および整合性の確認を行うことができる。
【００１１】
以下、本実施形態の構成および処理について詳細に説明する。
【００１２】
［実施形態］
最初に、実施形態について、図２乃至図１４を参照して以下に説明する。なお、実施形態で例示するＢＩＭシステムにおけるサーバ装置及び端末装置による機能分散の形態は以下に限られず、同様の効果や機能を奏し得る範囲において、任意の単位で機能的または物理的に分散・統合して構成することができる。
【００１３】
［実施形態における建設工程］
本実施形態の建築物の建築工程について説明する。図２は、本実施形態の建築物の建築工程に含まれるフェーズ（工程）を例示した図である。図２に示されるように、本実施形態の建築工程は、建築計画、設計協力、施工協力、製造、工事、保守、改修の順に各フェーズを行う例とする。本実施形態では、これらのフェーズの違いに応じて、必要な情報が異なる。
【００１４】
例えば、建築計画では、昇降機について、階やスペース等の大まかな情報が設定されていればよい。設計協力では、昇降機について周囲の鉄骨やドアのデザイン等が設定されている必要がある。施工協力では、昇降機についてミリ単位の情報が必要となる。製造では、工場で昇降を制作するためのリアルなモデルが必要となる。保守では、ビル管理に必要な情報があれば良い。
【００１５】
そこで、本実施形態では、建築工程のフェーズ毎に異なる昇降機のＢＩＭパーツを利用する。換言すれば、フェーズ毎にＬＯＤ（Level  Of  Detail、又はLevel  Of  Development）に従って作成されたＢＩＭパーツを用いる例とする。
【００１６】
なお、本実施形態では、建築後の保守、改修も含まれている例について説明するが、保守、改修が含まれて無くとも良い。また、建築工程は、このような順序に制限するものではなく、他のフェーズ（工程）が含まれていたり、図２に含まれているフェーズが省かれていたりしても良い。
【００１７】
また、従来、建築工程の各フェーズにおいて、昇降機のＢＩＭパーツで仕様を検討しても、合意結果を残す手段がなかった。このため、承認行為は、従来通り図面で行われていた。このため、昇降機メーカが、昇降機の三次元モデルを含むＢＩＭパーツを客先に提供し、仕様を検討していた場合でも、承認行為が行われた時に、仕様を検討していたときのＢＩＭパーツから、どのような変更が加えられたか認識するのが難しかった。
【００１８】
そこで、本実施形態では、建築工程にフェーズによらず、昇降機のＢＩＭを管理する手法を説明する。さらに、建築工程のフェーズ毎のＢＩＭモデルの承認手法について説明する。
【００１９】
［実施形態におけるＢＩＭシステムの構成］
まず、実施形態におけるＢＩＭシステムの構成の一例について、図３を参照して以下に説明する。図３は、実施形態におけるＢＩＭシステムの構成の一例を示すブロック図であり、該構成のうち主要な部分を概念的に示している。なお、本実施形態においては、通信型のＢＩＭシステムを具体例として説明するが、これに限ることなく、スタンドアロン型のＢＩＭシステムなどにも適用可能である。
【００２０】
図３に示すように、実施形態のＢＩＭシステムは、概略的に、昇降機の３次元モデル（すなわち、昇降機のＢＩＭパーツ）等の情報を提供できるサーバ装置２００、昇降機のＢＩＭパーツの提供先と通信を行うための端末装置１００、および、工程管理アプリケーション等を搭載した複数の端末装置３００、４００を通信可能に接続して構成される。ここで、図３に示すように、通信には、一例として、ネットワーク５００を介した有線・無線通信等の遠隔通信等を含んでいる。さらには、昇降機メーカ側において、社内ネットワーク５５０を設けて、サーバ装置２００と、端末装置１００と、を通信可能に接続して構成される。また、これらＢＩＭシステムの各部は任意の通信路を介して通信可能に接続されている。
【００２１】
ネットワーク５００や社内ネットワーク５５０は、端末装置１００、３００、４００、及びサーバ装置２００と、図示しない外部機器または外部システム（例えば、ＢＩＭモデルデータベースサーバ等として機能する外部のデータベース装置など）とを相互に接続する機能を有し、例えば、インターネット、電話回線網（携帯端末回線網および一般電話回線網等）、イントラネット、または、電力線通信（ＰＬＣ）等であってもよい。
【００２２】
図３に示すように、昇降機メーカ側は、サーバ装置２００と、端末装置１００と、を備えている。
【００２３】
サーバ装置２００は、概略的に、制御部２０２と、通信制御インターフェース部２０４と、記憶部２０６と、を少なくとも備えている。端末装置１００は、制御部１０２と、通信制御インターフェース部１０４と、記憶部１０６と、出力部（表示部１１４）と、入力部１１６と、を少なくとも備える。
【００２４】
そして、建設（業者）側は、端末装置３００を備えている。端末装置３００は、制御部３０２と、通信制御インターフェース部３０４と、記憶部３０６と、入出力制御インターフェース部３０８と、出力部（表示部３１４および音声出力部３１６）と、入力部３１８と、を少なくとも備える。
【００２５】
また、施工（業者）側は、端末装置４００を備えている。端末装置４００は、制御部４０２と、通信制御インターフェース部４０４と、記憶部４０６と、入出力制御インターフェース部４０８と、出力部（表示部４１４および音声出力部４１６）と、入力部４１８と、を少なくとも備える。
【００２６】
［サーバ装置２００の構成］
図３において、サーバ装置２００は、端末装置１００から送信される作成条件に対応する昇降機のＢＩＭパーツを作成し、端末装置１００、３００、４００へ送信する等の機能を有する。サーバ装置２００は、通信制御インターフェース部２０４を介して社内ネットワーク５５０や、ネットワーク５００を経由し、端末装置１００、３００、４００と相互に通信可能に接続されている。
【００２７】
制御部２０２は、各種処理を行う制御手段である。通信制御インターフェース部２０４は、通信回線や電話回線等に接続されるアンテナやルータ等の通信装置（図示せず）に接続されるインターフェースであり、社内ネットワーク５５０やネットワーク５００との間における通信制御を行う機能を有する。すなわち、通信制御インターフェース部２０４は、端末装置１００、３００、４００等と通信回線を介してデータを通信する機能を有している。
【００２８】
記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（パーツ情報データベース２０６ａ、管理データベース２０６ｂ、設計データベース２０６ｃ、施工データベース２０６ｄ、決定データベース２０６ｅ、工事データベース２０６ｆ、保守データベース２０６ｇ等）を格納する。
【００２９】
これら記憶部２０６の各構成要素のうち、パーツ情報データベース２０６ａは、建築物のＢＩＭモデルに組込可能な昇降機のＢＩＭパーツを作成するためのパーツに関するパーツ情報であって、建築物の建設工程を構成する各フェーズに対応したパーツ情報を記憶するパーツ情報記憶手段である。
【００３０】
また、パーツ情報データベース２０６ａは、汎用の昇降機のＢＩＭパーツを記憶している。そして、サーバ装置２００は、Ｗｅｂサイトを介してアクセスしてきた端末装置に対して、汎用の昇降機のＢＩＭパーツをダウンロード可能に提供する。この汎用の昇降機のＢＩＭパーツは、例えば、設計協力フェーズに対応するＢＩＭパーツ等が考えられるが、他のフェーズのＢＩＭパーツでも良い。
【００３１】
本実施形態において、昇降機は、エレベータおよび乗客コンベアを含む概念であり、乗客コンベアは、エスカレータおよび動く歩道を含んでいる。
【００３２】
ところで、現在、建設業者が建造物の統合ＢＩＭモデルに組み込むＢＩＭパーツや、昇降機メーカが管理するＢＩＭモデル等、複数のモデルが存在する。これは、互いの業者が管理したい情報が異なるためである。これらの情報をまとめるのは、データが重くなったり、他の業者に閲覧させたくない情報含まれていたりするため難しい。
【００３３】
そこで、本実施形態では、フェーズ毎に昇降機のＢＩＭパーツを生成し、同一の昇降機についてフェーズにかかわらず、一つの識別情報（サポートキー）で管理する例について説明する。本実施形態では、建設工程に共通する、昇降機を識別する識別情報を、サポートキーと定義する。また、建築物を管理する識別情報をプロジェクトＩＤとする。
【００３４】
このように、パーツ情報データベース２０６ａは、建築物の建設工程を構成するフェーズ毎に、当該フェーズに対応した、利用者が昇降機のＢＩＭパーツの設計、建築、保守等を行う上で必要となる情報を含んでいる。
【００３５】
図４は、本実施形態のパーツ情報データベース２０６ａ内のフェーズ毎のパーツ情報を示した図である。図４に示されるように、パーツ情報データベース２０６ａは、設計用パーツ情報、施工用パーツ情報や、工事用パーツ情報や、保守用パーツ情報が含まれている。
【００３６】
本実施形態においては、建築工程のフェーズ毎に、昇降機のパーツ情報として求められる情報の粒度が異なる。例えば、設計段階では、昇降機の仕様等が必要であって、昇降機を構成するパーツ（すなわち、各ユニットや構成部品）に関する情報は不要である。一方、施工段階では、昇降機を構成するパーツ（すなわち、各ユニットや構成部品）のサイズ情報が必要となる。そこで、本実施形態のパーツ情報データベース２０６ａは、フェーズ毎に、昇降機のＢＩＭパーツのパーツ情報を記憶している。
【００３７】
例えば、建築工程の設計用パーツ情報としては、例えば、用途、定員、積載量、動作速度、色、機種等といった昇降機の仕様、昇降機を建築物に設置する際に必要とされるスペース、寸法、各種付属設備に関する情報、昇降機を構成する必要部材の部材強度、価格、寸法、質量、色、素材、固有振動数といった情報の他、納期、在庫状況、据付時間、仕上げ材、耐用年数、メーカ情報、品番型番などが挙げられるが、上記に限定されない。
【００３８】
他の例としては、施工用パーツ情報としては、昇降機を構成するユニットに関する情報が含まれている。ＢＩＭパーツを構成する各ユニットとしては、例えば、本実施形態のように昇降機がエレベータである場合には、昇降路、乗りかご、カウンタウェイト、メインロープ、巻上機、ガイドレール、乗り場ホール関連品、機械室、制御盤、電源設備、各種配線配管等が挙げられる。また、ＢＩＭパーツを構成する各ユニットとしては、例えば、昇降機がエスカレータである場合には、トラス、踏段、踏段チェーン、移動手摺、乗降板、欄干、駆動装置、機械室、制御盤、電源設備、各種配線配管等が挙げられる。また、パーツ情報は、例えば、制御部１０２によりＢＩＭパーツを変更する際に用いられる設定パラメータを含む。ここで、設定パラメータは、ＢＩＭパーツを構成する各ユニットのサイズ、色、材質、上記各種配線配管等を規定するパラメータを含む。なお、ＢＩＭパーツは、典型的なＢＩＭモデルと同様に、このＢＩＭパーツ自体に対象の昇降機に関連するパーツ情報等の属性情報を含んでいる。
【００３９】
管理データベース２０６ｂは、建築物を構築するためのプロジェクトにおいて、当該建築物に含まれる昇降機の情報のうち、当該建築物の建築工程に共通している情報を管理する共通情報管理記憶手段とする。管理データベース２０６ｂは、少なくとも昇降機を識別するサポートキー（識別情報）と、当該昇降機にアクセスできるユーザの識別情報と、を対応付けて記憶する。ユーザの識別情報は、例えば、当該昇降機を含む建築物を設計している建設業者を識別するユーザアカウントと、当該昇降機を含む建築物を施工する施工業者を識別するユーザアカウントと、が考えられる。
【００４０】
設計データベース２０６ｃ、施工データベース２０６ｄ、工事データベース２０６ｆ、及び保守データベース２０６ｇは、建設工程を構成する工程（フェーズ）に応じた、昇降機のＢＩＭパーツと、建設工程に共通している、昇降機を識別するサポートキー（識別情報）と、を対応付けて記憶する複数の工程管理記憶手段とする。
【００４１】
設計データベース２０６ｃは、建築工程に含まれている、建築計画フェーズにおける、昇降機のＢＩＭパーツに関する情報を、サポートキーと対応付けて記憶する。本実施形態の設計データベース２０６ｃは、さらに、建築計画フェーズで、昇降機のＢＩＭパーツに関する変更等が生じた場合に、当該変更を含む履歴情報を記憶する。例えば、設計データベース２０６ｃには、ＢＩＭパーツに関する情報として、パーツ情報データベース２０６ａの設計用パーツ情報に基づいて作成された、昇降機のＢＩＭパーツが、サポートキーと対応付けて、記憶されている。
【００４２】
施工データベース２０６ｄは、建築工程に含まれている、施工協力フェーズにおける、昇降機のＢＩＭパーツに関する情報を、サポートキーと対応付けて記憶する。本実施形態の施工データベース２０６ｄは、さらに、施工協力フェーズで、昇降機のＢＩＭパーツに関する変更等が生じた場合に、当該変更を含む履歴情報を記憶する。例えば、施工データベース２０６ｄには、ＢＩＭパーツに関する情報として、パーツ情報データベース２０６ａの施工用パーツ情報に基づいて作成された、昇降機のＢＩＭパーツが、サポートキーと対応付けて、記憶されている。
【００４３】
工事データベース２０６ｆは、建築工程に含まれている、工事フェーズにおける、昇降機のＢＩＭパーツに関する情報を、サポートキーと対応付けて記憶する。本実施形態の工事データベース２０６ｆは、さらに、工事フェーズで、昇降機のＢＩＭパーツに関する変更等が生じた場合に、当該変更を含む履歴情報を記憶する。例えば、工事データベース２０６ｆには、ＢＩＭパーツに関する情報として、パーツ情報データベース２０６ａの工事用パーツ情報に基づいて作成された、昇降機のＢＩＭパーツが、サポートキーと対応付けて記憶されている。
【００４４】
保守データベース２０６ｇは、建築工程に含まれている、保守フェーズにおける、昇降機のＢＩＭパーツに関する情報を、サポートキーと対応付けて記憶する。本実施形態の保守データベース２０６ｇは、さらに、保守フェーズで、昇降機のＢＩＭパーツに関する変更等が生じた場合に、当該変更を含む履歴情報を記憶する。例えば、保守データベース２０６ｇには、ＢＩＭパーツに関する情報として、パーツ情報データベース２０６ａの保守用パーツ情報に基づいて作成された、昇降機のＢＩＭパーツが、サポートキーと対応付けて記憶されている。
【００４５】
このように、本実施形態の複数の工程管理記憶手段を構成する各データベースでは、昇降機のＢＩＭパーツが、サポートキーと対応付けて記憶されている。図５は、昇降機のＢＩＭパーツと、サポートキーと、の対応関係を例示した図である。図５に示されるように昇降機のＢＩＭパーツ６０１は、各種属性情報として、サポートキー６０２を対応付けて記憶している。
【００４６】
サポートキーは、建築物を建築するプロジェクトにおいて、当該建築物に含まれる昇降機に対してユニークに割り当てられた識別情報とする。本実施形態のサポートキーは、建築工程でフェーズ毎に異なるＢＩＭパーツが作成されたとしても、フェーズにかかわらず、当該昇降機を識別するものとして割り当てられている。
【００４７】
決定データベース２０６ｅは、施工協力が終了し、承認が得られたときの、昇降機のＢＩＭパーツを、製造決定したパーツ情報として記憶する。
【００４８】
また、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、キー生成部２０２ａ、登録部２０２ｂ、昇降機モデリング部２０２ｃ、及び情報送受信部２０２ｄを備える。
【００４９】
キー生成部２０２ａは、端末装置３００、４００からサポートキーの生成の要求を受信した場合に、建設工程に共通している、昇降機を識別するサポートキー（識別情報）を生成する識別情報生成手段である。本実施形態においては、建設業者がＢＩＭに組み込んだ昇降機の見積もり等の依頼を受け付けた際に、当該昇降機を識別する情報として、サポートキーを生成する。
【００５０】
登録部２０２ｂは、端末装置３００、４００から受信した、建設工程を構成するフェーズ（工程）にかかわらず共通するサポートキー（識別情報）と、当該フェーズの昇降機のＢＩＭパーツと、を対応付けて、端末装置３００、４００が行っているフェーズに対応する工程管理記憶手段（例えば、設計データベース２０６ｃ、施工データベース２０６ｄ、工事データベース２０６ｆ、又は保守データベース２０６ｇ）に登録する登録手段とする。
【００５１】
本実施形態の登録部２０２ｂは、利用者から、当該フェーズにおいて昇降機のＢＩＭパーツの更新等が行われる毎に、当該昇降機のＢＩＭパーツを、サポートキーと対応付けて記憶する。なお、サポートキーと対応付けて工程管理記憶手段（設計データベース２０６ｃ、施工データベース２０６ｄ、工事データベース２０６ｆ、又は保守データベース２０６ｇ）に記憶されるＢＩＭパーツは、昇降機のＢＩＭパーツのみに制限するものではなく、昇降機の周囲に存在する構築物のＢＩＭパーツを含んでいても良い。
【００５２】
また、昇降機モデリング部２０２ｃは、利用者（例えば、製造業者や施工業者）により受信された作成条件に対応する昇降機のＢＩＭパーツを、パーツ情報データベース２０６ａに記憶されたパーツ情報を用いて作成する昇降機モデリング手段である。昇降機モデリング部２０２ｃは、例えば、図５に示すようなエレベータの３次元のＢＩＭパーツを作成する。図５に示されるように、昇降機モデリング部２０２ｃは、利用者から作成条件と共にサポートキーを受信した場合に、昇降機のＢＩＭパーツに、サポートキーを対応付けて生成する。また、作成条件には、建築工程のフェーズが含まれている。
【００５３】
そして、昇降機モデリング部２０２ｃは、作成条件に含まれている建築工程のフェーズに対応するパーツ情報を、パーツ情報データベース２０６ａから抽出し、作成条件を満たす昇降機のＢＩＭパーツを作成する。
【００５４】
また、昇降機モデリング部２０２ｃは、利用者が画面上で確認しながら選択可能なように、作成条件を満たす複数の昇降機のＢＩＭパーツを作成してもよい。昇降機モデリング部２０２ｃは、例えば、受信された作成条件に基づいた後述のＢＩＭモデルの構造情報等に基づいて、建築物の概要、規模、設置位置、電源設備容量等から当該建築物に設置可能な昇降機のＢＩＭパーツを単数あるいは複数作成する。また、昇降機モデリング部２０２ｃは、受信された作成条件に基づいた納期、価格、あるいは、嗜好性に応じてＢＩＭパーツを自動的に最適化して作成するようにしてもよい。例えば、昇降機モデリング部２０２ｃは、利用者によって昇降機の設置に際し納期優先の選択がなされている場合には、設置可能な昇降機のＢＩＭパーツのうち納期が早いものから順に自動で複数作成するようにしてもよい。同様に、昇降機モデリング部２０２ｃは、利用者によって価格優先の選択がなされている場合には、設置可能な複数の昇降機のＢＩＭパーツのうち価格が安いものから順に自動で複数作成するようにしてもよい。昇降機モデリング部２０２ｃは、利用者によって利用者の嗜好性が設定されている場合には、設置可能な複数の昇降機のＢＩＭパーツのうち嗜好性にあったものから順に自動で複数作成するようにしてもよい。
【００５５】
情報送受信部２０２ｄは、昇降機のＢＩＭパーツを端末装置１００、３００、４００へ送信する情報送受信手段である。例えば、情報送受信部２０２ｄは、昇降機モデリング部２０２ｃにより作成された昇降機のＢＩＭパーツを端末装置１００、３００、４００へ送信する。ここで、情報送受信部２０２ｄは、複数のＢＩＭパーツを含む計算結果を端末装置１００、３００、４００へ送信してもよい。また、情報送受信部２０２ｄが、キー生成部２０２ａにより生成されたサポートキーを、端末装置３００、４００に送信する。
【００５６】
［端末装置３００、４００の構成］
図３において、端末装置３００は、建設業者が用いる端末装置であって、建設工程のうち、設計協力フェーズにおいて、当該フェーズに応じた、建設物のＢＩＭモデルを生成するために用いられる。例えば、端末装置３００は、端末装置１００に対して、昇降機メーカに対して見積もりの要求を送信したり、設計の協力の要求を送信したりする。さらに、端末装置３００は、サーバ装置２００に対して、昇降機を含むＢＩＭパーツの登録を要求する。さらに、端末装置３００は、ＢＩＭパーツを作成するのに必要な作成条件を送信し、作成条件にしたがって作成されたＢＩＭパーツを含むサーバ装置２００の計算結果を、サーバ装置２００から受信する等の機能を有する。
【００５７】
本実施形態の端末装置３００は、制御部３０２と、通信制御インターフェース部３０４と、記憶部３０６と、入出力制御インターフェース部３０８と、を備えている。
【００５８】
端末装置３００は、図６に示すように、サーバ装置２００から受信した昇降機のＢＩＭパーツを建築物のＢＩＭモデルに組み込んだ状態の昇降機組込建築物に対応する統合ＢＩＭモデルを作成する等の機能を有する。ここで、図６は、昇降機のＢＩＭパーツを建築物のＢＩＭモデルに組み込んだ状態の昇降機組込建築物に対応する統合ＢＩＭモデルの一例を示す図である。図６では、昇降機組込建築物の完成時におけるエレベータの設置状態を示す統合ＢＩＭモデルの一部が示されている。
【００５９】
端末装置３００は、例えば、一般に市販されるデスクトップ型またはノート型のパーソナルコンピュータ等の情報処理装置、携帯電話、スマートフォン、ＰＨＳ、およびＰＤＡ等の携帯端末装置等である。端末装置３００は、インターネットブラウザ等を搭載していてもよく、ＢＩＭアプリケーション等を搭載していてもよい。端末装置３００は、表示部３１４と音声出力部３１６とを少なくとも含む出力部を備えていてもよい。端末装置３００は、データ入力等を行う入力部３１８を備えていてもよい。
【００６０】
図３において、表示部３１４は、アプリケーション等の表示画面を表示する表示手段（例えば、液晶または有機ＥＬ等から構成されるディスプレイ、モニタ、および、タッチパネル等）であってもよい。音声出力部３１６は、音声情報を音声として出力する音声出力手段（例えば、スピーカ等）であってもよい。入力部３１８は、例えば、キー入力部、タッチパネル、コントロールパッド（例えば、タッチパッド、および、ゲームパッド等）、マウス、キーボード、および、マイク等であってもよい。入出力制御インターフェース部３０８は、表示部３１４、音声出力部３１６、および、入力部３１８等の制御を行う。
【００６１】
通信制御インターフェース部３０４は、通信回線や電話回線等に接続されるアンテナやルータ等の通信装置（図示せず）に接続されるインターフェースであり、ネットワーク５００との間における通信制御を行う機能を有する。すなわち、通信制御インターフェース部３０４は、サーバ装置２００等と通信回線を介してデータを通信する機能を有している。
【００６２】
記憶部３０６は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブル（ＢＩＭデータベース３０６ａ等）を格納してもよい。ここで、記憶部３０６は、各種のファイル等を一時的に記憶するものであってもよい。
【００６３】
このうち、ＢＩＭデータベース３０６ａは、建設工程のうち、各フェーズに対応する、建築物のＢＩＭモデルを記憶するＢＩＭモデル記憶手段である。本実施形態において、ＢＩＭデータベース３０６ａには、予め設計者により設計された建築物のＢＩＭモデルが格納されている。ＢＩＭモデルには、フェーズに応じて、例えば、建物形状、空間関係、地理情報、建物部材の数量や特性、部材強度、固有振動数、耐用年数等の構造情報が含まれるが、これらに限定されない。この他、構造情報は、建物用途、建物規模、階床数、階床名、階高、各階の使用用途、フロア人員、占有面積等から算出可能な昇降機の利用人数などの情報を含んでいてもよい。更に、構造情報は、対象の建築物を構成する各構造ユニットに関する寸法、位置等を示す情報を含んでいてもよい。ここで、ＢＩＭモデルを構成する各構造ユニットとしては、例えば、建築物に配置される部屋、壁、通路、非常階段、避難経路、ガス管、水道管、火災報知機、スプリンクラー、梁、安全対策品等が挙げられる。
【００６４】
制御部３０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部３０２は、これらのプログラム等により、種々の処理を実行するための情報処理を行う。制御部３０２は、工程管理アプリケーション３０２ａを読み込み、実行する。工程管理アプリケーション３０２ａは、機能概念的に、キー要求部３０２ｂ、切出制御部３０２ｃ、パーツ送信部３０２ｄ、パーツ取得部３０２ｅ、デザイン要求部３０２ｆ、及び承認部３０２ｇを備える。
【００６５】
このうち、キー要求部３０２ｂは、サポートキーが割り当てられていない、昇降機のＢＩＭパーツに対する、サポートキーの生成の要求を受け付けた場合に、サーバ装置２００に対して、サポートキーの生成を要求する要求手段である。
【００６６】
図７は、本実施形態の端末装置３００に表示される、工程管理アプリケーションの検知者側の画面例を示した図である。図７に示される工程管理アプリケーション３０２ａにおいては、ＢＩＭシステムに含まれている、昇降機のＢＩＭパーツと対応付けて、当該画面例が表示される。図７に示されるように、当該画面例では、サポートキー欄７００と、ＩＤ取得ボタン７０１と、建築モデル提供ボタン７０２と、昇降機モデル反映ボタン７０３と、デザイン検討ボタン７０４と、モデル承認ボタン７０５と、が配置されている。さらに、建設工程のうち、現在がどのフェーズであるかが表されている。
【００６７】
図７に示される画面例では、建築工程のフェーズが設計工程である場合を示している。当該画面例では、サポートキー欄７００が空欄の状態である。このような状態の場合に、キー要求部３０２ｂが、ＩＤ取得ボタン７０１の押下を受け付けた際に、昇降機のＢＩＭパーツのサポートキーの生成の要求を、サーバ装置２００に送信する。
【００６８】
これにより、サーバ装置２００によりサポートキーが生成される。そして、キー要求部３０２ｂは、サポートキー欄７００に、サーバ装置２００から受信したサポートキーを表示する。
【００６９】
図８は、本実施形態のＢＩＭシステムにおける、サポートキーが表示されるまでの概念を例示した図である。図８に示されるように、建築（業者）側の端末装置３００のキー要求部３０２ｂは、ＩＤ取得ボタン７０１の押下を受け付けた場合に、サポートキーの生成を要求する。そして、サーバ装置２００のキー生成部２０２ａが、サポートキーを生成し、管理データベース２０６ｂに生成したサポートキーを、当該建築（業者）を識別するユーザアカウントと対応付けて登録する。これにより、昇降メーカ側が、サポートキーを用いて、当該建築業者が設計する昇降機の管理を開始する。
【００７０】
そして、サーバ装置２００が、当該サポートキーを、端末装置３００に通知する。これにより、サポートキー欄にサポートキーが表示される。さらに、端末装置３００のキー要求部３０２ｂは、昇降機のＢＩＭパーツに対して、サポートキーを対応付ける。これにより、サポートキーで昇降機のＢＩＭパーツを識別できる。
【００７１】
そして、生成されたサポートキーは、当該昇降機のＢＩＭパーツを識別する情報として、設計データベース２０６ｃ、施工データベース２０６ｄ、工事データベース２０６ｆ、及び保守データベース２０６ｇの順で利用される。
【００７２】
切出制御部３０２ｃは、サーバ装置２００に対して、昇降機のＢＩＭパーツを送信する際に、建築物のＢＩＭモデルのうち、昇降機のＢＩＭパーツの周囲を切り出す制御を行う切出制御手段である。当該切り出し制御を行うことで、サーバ装置２００に送信するＢＩＭパーツに、昇降機の周辺に存在する構築物のＢＩＭパーツが含まれる。本実施形態では、図７に示す画面例において、建築モデル提供ボタン７０２の押下を受け付けた場合に、切出制御部３０２ｃは、統合ＢＩＭモデルから、昇降機メーカに提供するＢＩＭパーツを切り出す制御を行う。
【００７３】
パーツ送信部３０２ｄは、建設工程に共通しているサポートキーと、サーバ装置２００に登録する、昇降機のＢＩＭパーツと、を対応付けて、サーバ装置２００に送信する送信手段とする。また、パーツ送信部３０２ｄは、切出制御部３０２ｃにより昇降機の周囲のＢＩＭパーツが切り出されていた場合に、サポートキーと共に、昇降機のＢＩＭパーツを含んだ、切り出された周囲のＢＩＭパーツを送信する。
【００７４】
図９は、本実施形態のＢＩＭシステムにおける、本実施形態の設計データベース２０６ｃにＢＩＭパーツが登録されるまでの概念を例示した図である。図９に示されるように、切出制御部３０２ｃは、統合ＢＩＭモデルのうち、サポートキー“12345”と対応付けられた昇降機のＢＩＭパーツの周辺の図形を検出し、昇降機周辺の情報に絞った上で、サーバ装置２００に提供するためのＢＩＭパーツを切り出す。なお、切り出す範囲９００は、昇降機メーカに開示しても問題ない範囲として利用者が手動で選択しても良いし、昇降機メーカが昇降機の設計協力を行うために必要な範囲を自動的に選択しても良い。
【００７５】
そして、パーツ送信部３０２ｄが、昇降機のＢＩＭパーツを含んだ、切り出された範囲のＢＩＭパーツを、サポートキーと対応付けて、サーバ装置２００に送信する。
【００７６】
そして、サーバ装置２００の登録部２０２ｂが、端末装置３００から受信した、切り出された周囲のＢＩＭパーツと、周囲のＢＩＭパーツに含まれる昇降機のＢＩＭパーツを識別するサポートキーと、を対応付けて、設計データベース２０６ｃ（ＢＩＭパーツに対応するフェーズの工程管理記憶手段）に登録する。
【００７７】
そして、昇降機メーカ側の端末装置１００は、建築側からの設計協力依頼に従って、設計データベース２０６ｃに登録されたＢＩＭモデルを参照して、昇降機のＢＩＭパーツについて設計等を行う。設計データベース２０６ｃには、昇降機の周囲の構築物のＢＩＭパーツが含まれているため、周囲の状況を考慮した昇降機のＢＩＭパーツの設計を行うことができる。
【００７８】
パーツ取得部３０２ｅは、サーバ装置２００から、端末装置３００が行っている建築工程のフェーズに対応する、昇降機のＢＩＭパーツを取得する取得手段とする。例えば、パーツ取得部３０２ｅは、サーバ装置２００が配布している昇降機のＢＩＭパーツをダウンロード（取得）する。他の例としては、パーツ取得部３０２ｅは、パーツ送信部３０２ｄにより送信された後に、昇降機メーカ側で設計変更された、昇降機のＢＩＭパーツを取得する。本実施形態では、図７に示す画面例において、昇降機モデル反映ボタン７０３の押下を受け付けた場合に、パーツ取得部３０２ｅが、サーバ装置２００から、昇降機メーカに設計変更された後の、昇降機のＢＩＭパーツを取得する。
【００７９】
デザイン要求部３０２ｆは、昇降機メーカの端末装置１００に対して、昇降機のデザイン検討の要求を送信する。本実施形態では、図７に示す画面例において、デザイン検討ボタン７０４の押下を受け付けた場合に、デザイン要求部３０２ｆは、利用者から入力されたデザインに関する情報を、昇降機メーカの端末装置１００に送信する。これにより、昇降機メーカの端末装置１００は、設計データベース２０６ｃに登録された昇降機のＢＩＭパーツに対して、デザインに関する情報に基づいた設計協力等を行う。
【００８０】
承認部３０２ｇは、建設工程に含まれる現在（所定）の工程を完了したことを示す承認ボタンの選択を受け付け、当該選択を受け付けた旨と、承認された昇降機のＢＩＭパーツを識別するサポートキーと、をサーバ装置２００に送信する受付手段とする。図７に示す画面例において、モデル承認ボタン７０５の選択を受け付けた場合に、承認部３０２ｇは、承認を受け付けたと判定し、承認を受け付けた旨と、サポートキーと、をサーバ装置２００に送信する。
【００８１】
そして、サーバ装置２００の情報送受信部２０２ｄは、承認を受け付けたことを示す情報を受信した場合に、承認部３０２ｇにより現在のフェーズにおける昇降機のＢＩＭパーツが承認されたものとして、現在のフェーズに対応する工程管理記憶手段（例えば、設計データベース２０６ｃ、施工データベース２０６ｄ、工事データベース２０６ｆ、又は保守データベース２０６ｇ）が、当該フェーズに対応する、昇降機のＢＩＭパーツの更新を抑止する。そして、次のフェーズに移行する。
【００８２】
図３において、端末装置４００は、施工業者が用いる端末装置であって、建設工程のうち、施工協力フェーズにおいて、当該フェーズに応じた、建設物のＢＩＭモデルを生成するために用いられる。例えば、端末装置４００は、端末装置１００に対して、施工協力の要求を送信する。さらに、端末装置４００は、サーバ装置２００に対して、施工協力フェーズにおける、昇降機を含むＢＩＭパーツの登録を要求する。さらに、端末装置４００は、施工協力フェーズに対応する、ＢＩＭパーツを作成するのに必要な作成条件を送信し、作成条件にしたがって作成されたＢＩＭパーツを含むサーバ装置２００の計算結果を、サーバ装置２００から受信する等の機能を有する。
【００８３】
端末装置４００は、制御部４０２と、通信制御インターフェース部４０４と、記憶部４０６と、入出力制御インターフェース部４０８と、を備えている。端末装置４００が備える、制御部４０２、通信制御インターフェース部４０４、記憶部４０６、及び入出力制御インターフェース部４０８は、本実施形態の端末装置３００が備える、制御部３０２、通信制御インターフェース部３０４、記憶部３０６、及び入出力制御インターフェース部３０８と同様の構成として説明を省略する。記憶部４０６は、施工業者が利用する、建造物の統合ＢＩＭモデルを保持するＢＩＭデータベース４０６ａを備えている。
【００８４】
制御部４０２は、工程管理アプリケーション４０２ａを読み込み、実行する。工程管理アプリケーション４０２ａは、機能概念的に、キー要求部４０２ｂ、切出制御部４０２ｃ、パーツ送信部４０２ｄ、パーツ取得部４０２ｅ、デザイン要求部４０２ｆ、及び承認部４０２ｇを備える。なお、キー要求部４０２ｂ、切出制御部４０２ｃ、パーツ送信部４０２ｄ、パーツ取得部４０２ｅ、デザイン要求部４０２ｆ、及び承認部４０２ｇは、キー要求部３０２ｂ、切出制御部３０２ｃ、パーツ送信部３０２ｄ、パーツ取得部３０２ｅ、デザイン要求部３０２ｆ、及び承認部３０２ｇと比べて、建築工程のフェーズの違いに応じて、処理するＢＩＭパーツが異なる点を除いて、ほぼ同様の処理を行うものとする。
【００８５】
図１０は、本実施形態のＢＩＭシステムにおいて、複数業者で用いられるＢＩＭパーツの流れを例示した図である。図１０に示されるように、建築側の建設業者、施工側の施工業者、及び保守側の建築物のオーナーは、建設工程の違いにかかわらず、共通するサポートキー”12345”を用いて、昇降機のＢＩＭパーツを管理する。
【００８６】
図１０に示されるように、昇降機のＢＩＭパーツの粒度が変化するため、フェーズが遷移する毎に、昇降機のＢＩＭパーツを格納するデータベースとして、設計データベース２０６ｃ、施工データベース２０６ｄ、工事データベース２０６ｆ、及び保守データベース２０６ｇの順に遷移していく。建設工程のフェーズが移行する毎に、建築（業者）側、施工（業者）側、及び保守側と、昇降機のＢＩＭパーツを利用する業者が変化していく。これに伴い、昇降機メーカのサーバ装置２００等が通信する端末が、建築側の端末装置３００、施工側の端末装置４００、保守側の端末装置１０００と変化していく。業者が変化していく場合でも、昇降機のＢＩＭパーツを識別するサポートキー”12345”が用いられる。換言すると、フェーズが遷移する際に業者が変わる場合に、サポートキーを受け渡す必要がある。
【００８７】
業者間で（例えば建設業者から施工業者に対して）、サポートキーを受け渡す手法はどのような手法でもよく、例えば、建設作業が引き継がれた際に、サポートキーのみ受け渡しても良いし、サポートキーのみならず、ＢＩＭモデルを含めて受け渡しても良い。また、引き継ぐ際に、施工業者のユーザアカウントが、サポートキーと対応付けて、管理データベース２０６ｂに登録される。これにより、施工業者は、当該サポートキーと対応付けられた、昇降機のＢＩＭパーツを利用することが可能となる。
【００８８】
［端末装置１００の構成］
図３に戻り、端末装置１００は、昇降機メーカが用いる端末装置であって、建設工程のフェーズにかかわらず、端末装置３００、４００等の要求に応じて、設計協力やデザイン協力を行うために用いられる。
【００８９】
端末装置１００は、制御部１０２と、通信制御インターフェース部１０４と、記憶部１０６と、入出力制御インターフェース部１０８と、を備える。
【００９０】
制御部１０２は、各種処理を行う制御手段である。通信制御インターフェース部１０４は、通信回線や電話回線等に接続されるアンテナやルータ等の通信装置（図示せず）に接続されるインターフェースであり、社内ネットワーク５５０やネットワーク５００との間における通信制御を行う機能を有する。すなわち、通信制御インターフェース部１０４は、サーバ装置２００、端末装置３００、４００等と通信回線を介してデータを通信する機能を有している。
【００９１】
記憶部１０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータを格納する。
【００９２】
制御部１０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、図示しないアプリケーションを読み込み、実行することで、機能概念的に、情報通信部１０２ａと、表示編集部１０２ｂと、を備える。
【００９３】
情報通信部１０２ａは、サーバ装置２００との間で、ＢＩＭパーツを送受信する送受信手段である。本実施形態では、端末装置３００、４００からＢＩＭパーツの設計協力やデザイン検討の要望を、サポートキー及びフェーズを受信した場合に、サーバ装置２００から、サポートキー及びフェーズで特定される、昇降機のＢＩＭパーツを受信する。なお、工程管理記憶手段となる各種データベースに、昇降機の周辺の構築物のＢＩＭパーツが格納されている場合に、当該昇降機の周辺の構築物のＢＩＭパーツも受信する。
【００９４】
表示編集部１０２ｂは、情報通信部１０２ａが受信したＢＩＭパーツを表示し、当該ＢＩＭパーツに基づいて、昇降機のＢＩＭパーツの編集を行う編集手段とする。表示編集部１０２ｂは、工程管理画面を表示することもできる。
【００９５】
図１１は、表示編集部１０２ｂが表示する工程管理画面を例示した図である。図１１に示されるように、昇降機のＢＩＭパーツを識別するサポートキー欄１１００と、昇降機モデル登録ボタン１１０１と、が設けられている。表示編集部１０２ｂは、利用者による昇降機ＢＩＭパーツの編集が終了した場合に、昇降機モデル登録ボタン１１０１の選択を受け付ける。当該選択をトリガーとして、編集が完了した昇降機のＢＩＭパーツを、サポートキーと共に、現在のフェーズに対応するデータベースへの登録要求と共に、サーバ装置２００に送信する。これにより、サーバ装置２００に、設計協力やデザイン検討に従って更新された、昇降機のＢＩＭパーツが格納される。さらに、情報通信部１０２ａは、編集した昇降機のＢＩＭパーツを利用していた端末装置３００、４００に対して、編集が完了した旨を通知する。
【００９６】
本実施形態においては、ＢＩＭシステムを構成する各装置が上述した構成を備え、上述した処理を建設工程の最後のフェーズまで行うことで、建設物の建設から保守まで、昇降機のＢＩＭパーツを一括管理することができる。
【００９７】
以上で、本実施形態におけるＢＩＭシステムの構成の一例の説明を終える。  
【００９８】
［本実施形態におけるＢＩＭシステムの処理］
次に、このように構成された実施形態におけるＢＩＭシステムの処理の一例について、以下に図１２乃至図１４を参照して詳細に説明する。
【００９９】
まず、図１２を参照して、実施形態においてＢＩＭシステムにより実行されるサポートキーとＢＩＭパーツの対応付け処理について説明する。図１２は、実施形態におけるＢＩＭシステムのサポートキーに関連する処理の一例を示すフローチャートである。
【０１００】
図１２に示すように、端末装置３００の制御部３０２は、ブラウザ等を用いてサーバ装置２００にアクセスし、表示部３１４に昇降機の情報提供ページを表示する（ＳＡ−１）。当該昇降機の情報提供ページには、任意の利用者が利用できるように、汎用的な昇降機のＢＩＭパーツが公開、提供されている。
【０１０１】
次に、端末装置３００の制御部３０２のパーツ取得部３０２ｅは、サーバ装置２００から、昇降機のＢＩＭパーツをダウンロード（取得）する（ＳＡ−２）。
【０１０２】
そして、端末装置３００の制御部３０２は、ＢＩＭデータベース３０６ａに記憶されている、建設物の統合ＢＩＭモデルに、取得したＢＩＭパーツを組み込んで、当該統合ＢＩＭモデルを編集する（ＳＡ−３）。
【０１０３】
端末装置３００の工程管理アプリケーション３０２ａは、建築物の統合ＢＩＭモデルに組み込まれた、昇降機のＢＩＭパーツに対応する工程管理アプリケーションの画面を、表示部３１４に表示する（ＳＡ−４）。なお、工程管理アプリケーションではなく、昇降機のＢＩＭパーツに埋め込まれたＵＲＬから、昇降機メーカにサポートキーの発行を依頼するためのＢＩＭモデル提供サイト等に接続してもよい。
【０１０４】
図７に示されるように、ダウンロードした後の昇降機のＢＩＭパーツにおける、当該工程管理アプリケーションの画面例では、サポートキー欄７００は空欄となっている。これは、当該昇降機のＢＩＭパーツが、昇降機メーカ側で管理対象となっていないことを意味する。そこで、利用者が昇降機メーカに、当該ＢＩＭパーツで示される昇降機の見積もり、計画の妥当性のチェック、又は設計協力をお願いしたい場合に、当該昇降機のＢＩＭパーツを識別するためのサポートキーの発行を昇降機メーカに要求する必要がある。
【０１０５】
端末装置３００の制御部３０２のキー要求部３０２ｂは、工程管理アプリケーションの画面において、ＩＤ取得ボタン７０１の選択を受け付けた場合に、サポートキーの取得要求を、昇降機メーカ側のサーバ装置２００に送信する（ＳＡ−５）。
【０１０６】
そして、サーバ装置２００の情報送受信部２０２ｄが、サポートキーの取得要求を受信する（ＳＡ−６）。そして、サーバ装置２００のキー生成部２０２ａが、サポートキーを生成する（ＳＡ−７）。登録部２０２ｂは、生成したサポートキーを、管理データベース２０６ａに登録する（ＳＡ−８）。これによりサーバ装置２００における、サポートキーによるＢＩＭパーツ等の管理が開始される。
【０１０７】
その後、情報送受信部２０２ｄは、サポーキーを、サポートキーを要求した端末装置３００に対して送信する（ＳＡ−９）。
【０１０８】
そして、端末装置３００のキー要求部３０２ｂは、サーバ装置２００から送信されてきたサポートキーを受信し（ＳＡ−１０）、受信したサポートキーを、工程管理アプリケーションの検知者側の画面に表示する（ＳＡ−１１）。
【０１０９】
さらに、キー要求部３０２ｂは、受信したサポートキーと、昇降機のＢＩＭパーツと、を対応付ける（ＳＡ−１２）。その後、本処理を終了する。
【０１１０】
本実施形態では、上述した処理を行うことで、昇降機のＢＩＭパーツに対して、サポートキーが割り当てられる。
【０１１１】
続いて、図１３を参照して、実施形態においてＢＩＭシステムにより実行される建設工程の各フェーズで行われる基本的な処理について説明する。図１３は、実施形態におけるＢＩＭシステムにより実行される建設工程の各フェーズで行われる基本的な処理の一例を示すフローチャートである。図１３に示される例では、端末装置３００の表示部３１４に、昇降機のＢＩＭパーツの、工程管理アプリケーションの画面が表示されている。
【０１１２】
昇降機メーカが設計協力を行う場合には、昇降機のＢＩＭパーツのみならず、当該昇降機の周辺の構築物のＢＩＭパーツも必要になる。そこで、建築モデルの提供を、昇降機メーカから、建設業者にリクエストしたものとする。このような場合に、建設業者は、昇降機の周辺の構築物を含んだ範囲を検討依頼情報として切り出す必要がある。
【０１１３】
このような場合に、工程管理アプリケーション３０２ａは、建築モデル提供ボタンの選択を受け付ける（ＳＢ−１）。その後、切出制御部３０２ｃが、昇降機のＢＩＭパーツを中心に、サーバ装置２００に提供する範囲の選択を受け付ける（ＳＢ−２）。これにより昇降機の他に昇降機の周辺の構築物のＢＩＭパーツが選択されたことになる。周辺の構築物のＢＩＭパーツの取得手法は、どのような手法でも良いが、例えば、プロジェクトＩＤをキーとして、構築物のＢＩＭモデルから、昇降機のロケーションを自動的に検出して、選択された範囲に含まれている周辺のＢＩＭパーツの情報を自動取得する等が考えられる。
【０１１４】
そして、パーツ送信部３０２ｄが、切り出された範囲のＢＩＭパーツを、サポートキーと共にサーバ装置２００に送信する（ＳＢ−３）。
【０１１５】
サーバ装置２００の情報送受信部２０２ｄが、切り出された範囲のＢＩＭパーツを受信する（ＳＢ−４）。そして、登録部２０２ｂが、受信したＢＩＭパーツを、サポートキーと共に、当該ＢＩＭパーツのフェーズに対応する工程管理記憶手段（例えば、設計データベース２０６ｃ、施工データベース２０６ｄ、工事データベース２０６ｆ、又は保守データベース２０６ｇ）に登録する（ＳＢ−５）。サーバ装置２００の工程管理記憶手段は、登録されたＢＩＭパーツの更新履歴を管理する。
【０１１６】
そして、サーバ装置２００の情報送受信部２０２ｄは、登録済みの、切り出された範囲のＢＩＭパーツを、サポートキーと共に端末装置１００に送信する（ＳＢ−６）。
【０１１７】
昇降機メーカ側の端末装置１００の情報通信部１０２ａは、当該範囲のＢＩＭパーツを、サポートキーと共に受信する（ＳＢ−７）。表示編集部１０２ｂは、受信したＢＩＭパーツを用いて昇降機の周囲の状況を確認した上で、設計協力に従って、昇降機のＢＩＭパーツを編集する（ＳＢ−８）。なお、昇降機メーカ側への設計協力は、メール等による通知や、工程管理記憶手段でのフラグ管理などのどのような手法を用いても良い。
【０１１８】
そして、表示編集部１０２ｂは、例えば、建築に必要な工事や鉄骨部材を加える等の行うことで、設計を完了させ、プロジェクトフォルダにモデルを登録する。
【０１１９】
その後、情報通信部１０２ａは、プロジェクトフォルダに登録された昇降機のＢＩＭパーツを、サポートキーと共に、サーバ装置２００に送信する（ＳＢ−９）。当該送信の際に、昇降機の周辺を含めたＢＩＭ発であっても良い。
【０１２０】
そして、サーバ装置２００の情報送受信部２０２ｄは、端末装置１００から、昇降機のＢＩＭパーツを、サポートキーと共に受信する（ＳＢ−１０）。そして、登録部２０２ｂが、受信した昇降機のＢＩＭパーツを、サポートキーと共に、当該ＢＩＭパーツのフェーズに対応する工程管理記憶手段（例えば、設計データベース２０６ｃ、施工データベース２０６ｄ、工事データベース２０６ｆ、又は保守データベース２０６ｇ）に登録する（ＳＢ−１１）。これにより、サーバ装置２００の工程管理記憶手段が、再びＢＩＭパーツの更新履歴を更新する。
【０１２１】
また、昇降機メーカ側の端末装置１００の情報通信部１０２ａは、プロジェクトフォルダにＢＩＭパーツが登録されたことをトリガーとして、ＢＩＭパーツの更新が完了したことを、建設業者の端末装置３００に送信する（ＳＢ−１２）。
【０１２２】
そして、建設業者の端末装置３００の工程管理アプリケーション３０２ａは、ＢＩＭパーツの更新が完了した旨の通知を受信し、当該更新が完了した旨を表示する（ＳＢ−１３）。これにより、端末装置３００の利用者は、昇降機メーカの設計協力により、昇降機のＢＩＭパーツが更新されたことを認識できる。
【０１２３】
建設業者は、昇降機メーカが編集したＢＩＭパーツを用いて、建築物の統合ＢＩＭモデルを更新する必要がある。
【０１２４】
そこで、建設業者の端末装置３００の工程管理アプリケーション３０２ａは、工程管理アプリケーションの画面から、昇降機モデル反映ボタンの選択を受け付ける（ＳＢ−１４）。これにより、パーツ取得部３０２ｅが、サポートキーと現在のフェーズと共に、昇降機のＢＩＭパーツの送信要求を、サーバ装置２００に行う（ＳＢ−１５）。
【０１２５】
サーバ装置２００の情報送受信部２０２ｄは、サポートキーと現在のフェーズと共に、昇降機のＢＩＭパーツの送信要求を受信する（ＳＢ−１６）。そして、情報送受信部２０２ｄは、サポートキーと現在のフェーズで識別される、昇降機のＢＩＭパーツを、工程管理記憶手段（例えば、設計データベース２０６ｃ、施工データベース２０６ｄ、工事データベース２０６ｆ、又は保守データベース２０６ｇ）から読み出して、当該昇降機のＢＩＭパーツを端末装置３００に送信する（ＳＢ−１７）。
【０１２６】
そして、建設企業の端末装置３００のパーツ取得部３０２ｅは、昇降機のＢＩＭパーツを受信する（ＳＢ−１８）。そして、制御部４０２は、受信した昇降機のＢＩＭパーツを統合ＢＩＭモデルに組み込んで、統合ＢＩＭモデルを表示する（ＳＢ−１９）。これにより、統合ＢＩＭモデルには、昇降機メーカが設計した昇降機のＢＩＭパーツに更新される。この場合に、さらなる修正が必要な部分が存在する場合に、当該部分の強調表示灯を行っても良い。その際に、対処コメント等を表示しても良い。
【０１２７】
そして、承認部３０２ｇが、工程管理アプリケーションの画面から、モデル承認ボタンの選択を受け付ける（ＳＢ−２０）。そして、承認部３０２ｇが、当該フェーズが完了したことを、サポートキーと現在のフェーズと共に、サーバ装置２００に通知する（ＳＢ−２１）。当該モデル承認ボタンの選択により、昇降機の受注が確定したことになる。
【０１２８】
サーバ装置２００の情報送受信部２０２ｄは、端末装置３００から、当該フェーズが完了したことを、サポートキーと現在のフェーズと共に受信する（ＳＢ−２２）。
【０１２９】
そして、当該フェーズに対応する工程管理記憶手段（例えば、設計データベース２０６ｃ、施工データベース２０６ｄ、工事データベース２０６ｆ、又は保守データベース２０６ｇ）は、サポートキーで識別される、ＢＩＭパーツの更新の抑止制御を行う（ＳＢ−２３）。これと共に、昇降機メーカは、自社で管理している設計協力フェーズの昇降機のＢＩＭモデルを、自動的に施工協力フェーズの昇降機のＢＩＭモデルに更新する。
【０１３０】
上述した処理手順により、当該フェーズにおけるＢＩＭパーツの仕様が決定される。これにより、建設工程の次のフェーズに移行することができる。次のフェーズに移動する際には、建設業者から施工業者など業者が変更されても良い。ただし、業者が変更された場合であっても、昇降機のＢＩＭパーツを識別するサポートキーは、引き継ぐようにする。
引き継ぎ手法についてはどのような手法を用いても良く、用いたサポートキー一覧を示したデータを受け渡しても良いし、統合ＢＩＭモデルを受け渡しても良い。
【０１３１】
また、サーバ装置２００は、施工業者が昇降機のＢＩＭパーツを利用する際に、サポートキーの利用権限を施工業者に与える。
【０１３２】
まず、図１４を参照して、実施形態においてＢＩＭシステムにおいて、ＢＩＭパーツを生成して、サポートキーとＢＩＭパーツの対応付ける処理について説明する。図１４は、実施形態におけるＢＩＭシステムにおける、ＢＩＭパーツの生成処理、及びＢＩＭパーツとサポートキーとを対応付ける処理の一例を示すフローチャートである。
【０１３３】
図１４に示すように、施工業者の端末装置４００の制御部４０２は、サポートキーと、ＢＩＭパーツを生成するための作成条件の入力を受け付ける（ＳＣ−１）。作成条件には、少なくとも、建設工程のうち、現在のフェーズを示す情報が含まれている。サポートキーは、前のフェーズで作業を行った建設業者から受け渡されたサポートキーとする。
【０１３４】
そして、端末装置４００の制御部４０２は、サポートキーと、作成条件を、サーバ装置２００に送信する（ＳＣ−２）。
【０１３５】
そして、サーバ装置２００の情報送受信部２０２ｄは、端末装置４００から、サポートキーと、作成条件を受信する（ＳＣ−３）。
【０１３６】
そして、サーバ装置２００の昇降機モデリング部２０２ｃは、作成条件に対応する昇降機のＢＩＭパーツを、パーツ情報データベース２０６ａに記憶されたパーツ情報を用いて作成する（ステップＳＣ−４）。例えば、昇降機メーカが、設計協力フェーズの昇降機のＢＩＭモデルから、自動的に更新した、施工協力フェーズの昇降機のＢＩＭモデルを、作成条件に合うように修正等を行って、当該昇降機のＢＩＭパーツを生成してもよい。
【０１３７】
そして、サーバ装置２００の登録部２０２ｂは、作成された昇降機のＢＩＭパーツと、サポートキーと共に、現在のフェーズに対応する工程管理記憶手段（例えば、設計データベース２０６ｃ、施工データベース２０６ｄ、工事データベース２０６ｆ、又は保守データベース２０６ｇ）に登録する（ＳＣ−５）。
【０１３８】
そして、サーバ装置２００の情報送受信部２０２ｄは、端末装置４００に対して、サポートキーと、昇降機のＢＩＭパーツとを送信する（ＳＣ−６）。
【０１３９】
そして、端末装置４００の制御部４０２は、サポートキーと、昇降機のＢＩＭパーツとを受信する（ＳＣ−７）。
【０１４０】
端末装置４００の制御部４０２は、統合ＢＩＭモデルを作成する（ＳＣ−８）。そして、端末装置４００の制御部４０２は、昇降機のＢＩＭパーツをサポートキーと対応付けた上で、統合ＢＩＭモデルに組み込んで表示する（ＳＣ−９）。
【０１４１】
また、施工業者の端末装置４００は、昇降機のＢＩＭパーツから、図７と同様の画面例を表示できる。この場合に、デザイン検討ボタンの選択を受け付けることで、昇降機メーカの端末装置１００に対して、ＢＩＭパーツのデザイン協力を実現できる。また、デザインで確定した仕様は、サーバ装置２００の施工データベース２０６ｄに更新される。
【０１４２】
また、施工業者も、建設業者と同様に、昇降機の製作上の仕様について承認を受け取る必要がある。本実施形態では、図１３のＳＢ−２０以降と同様の処理手順で承認の受け取り処理が行われる。
【０１４３】
また、施工業者も、建設業者と同様に、昇降機の製作上の仕様について承認を受け取る必要がある。本実施形態では、図１３のＳＢ−２０以降と同様の処理手順で承認の受け取り処理が行われる。そして、モデル承認ボタンの選択を受け付けた場合に、昇降機メーカは、製造のフェーズに移行する。
【０１４４】
つまり、従来はシステムシミュレーションでイメージを検討し、別途図面で承認を得ていたが、それらの図書を作成する作業を削減させ、仕様決定を迅速に進めることが可能となる。
【０１４５】
施工協力フェーズが完了した段階で、施工データベース２０６ｄの更新が抑止される。そして、施工の承認が得られた昇降機のＢＩＭパーツの決定情報を、決定データベース２０６ｅに格納する。その後の製造フェーズでは、決定データベース２０６ｅの当該決定情報に基づいて、昇降機の製造が行われる。
【０１４６】
そして、製造フェーズが終了した後に、据え付けを行う工事フェーズに移行する。そして、据え付け工事が完了すると、ＢＩＭシステムは、保守フェーズに移行する。
【０１４７】
保守フェーズでは、ビル管理会社が、端末装置１０００を用いて、ＢＩＭモデルを管理する。その際に、サーバ装置２００は、サポートキーの利用権限を、ビル管理会社に与える。ＢＩＭシステムでは、保守管理メニューを遷移する。サーバ装置２００は、保守に必要な昇降機のＢＩＭパーツを生成する。また、サーバ装置２００は、昇降機保守契約サービスシステムからのメンテナンス契約情報を取得し、ビルメンテナンスに必要な保守契約情報や、機器更新のスケジュールデータなどを、昇降機のＢＩＭパーツに属性情報として設定する。そして、サーバ装置２００は、ビル管理会社の端末装置１０００に、当該ＢＩＭパーツを送信する。また、昇降機の（図示しない）点検記録データベースと、ＢＩＭシステムと、は連動させることができる。このため、建築ＦＭモデルに組み込んだ保守情報と連動することで、点検データの属性をビル管理会社が保有するＢＩＭモデルに更新することができる。
【０１４８】
また、本実施形態では、リニューアル段階に移行した場合に、ＢＩＭシステムの建設工程を、保守フェーズから、改修フェーズに移行できる。改修工事では、昇降機メーカの管理するＢＩＭパーツを、改修後の昇降機のＢＩＭパーツに差し替え、更新結果を三次元モデルで確認できる。サーバ装置２００は、リニューアル提案パターンを複数保存する機能を有し、比較検証を行うことができる。
【０１４９】
本実施形態では、フェーズ毎に、利用者に適した昇降機のＢＩＭパーツを提供できる。さらに、本実施形態では、建設工程に共通するサポートキーを用いることで、フェーズにかかわらず、昇降機のＢＩＭパーツを特定することができる。これにより、作業負担を軽減できる。
【０１５０】
本実施形態では、建築、又は施工側の昇降機のＢＩＭパーツ、及び昇降機メーカ側の昇降機のＢＩＭパーツは、サーバ装置２００を介して、同期することができる。これにより、データの整合性を維持することができる。
【０１５１】
さらに、本実施形態では、建設工程の各フェーズを、モデル承認ボタンの選択を受け付けることで、昇降機のＢＩＭパーツの変更を抑止し、仕様合意を実現できる。これにより、従来設計図等を行っていた仕様合意のプロセスを簡略化した上で、現在保持している昇降機のＢＩＭパーツと、最終的に仕様合意がとれた仕様と、の間に差異が生じることを抑止できる。
【０１５２】
以上で、実施形態におけるＢＩＭシステムの処理の一例の説明を終える。
【０１５３】
［他の実施形態］
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【０１５４】
例えば、上述の実施形態では、昇降機としてエスカレータやエレベータを例にして説明したが、動く歩道等の乗客コンベアについても同様に本発明を適用できる。
【０１５５】
また、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１５６】
この他、上記文献中や図面中で示した処理手順、制御手順、具体的名称、各処理の登録データや検索条件等のパラメータを含む情報、画面例、データベース構成については、特記する場合を除いて任意に変更することができる。
【０１５７】
また、端末装置１００、３００、４００及びサーバ装置２００に関して、図示の各構成要素は機能概念的なものであり、必ずしも物理的に図示の如く構成されていることを要しない。
【０１５８】
例えば、端末装置１００、３００、４００及びサーバ装置２００の各装置が備える処理機能、特に制御部１０２、３０２、４０２及び制御部２０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。なお、プログラムは、後述する記録媒体に記録されており、必要に応じて端末装置１００、３００、４００およびサーバ装置２００に機械的に読み取られる。すなわち、ＲＯＭまたはＨＤＤなどの記憶部１０６、３０６、４０６および記憶部２０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１５９】
また、このコンピュータプログラムは、端末装置１００、３００、４００およびサーバ装置２００に対して任意のネットワーク５００を介して接続されたアプリケーションプログラムサーバに記憶されていてもよく、必要に応じてその全部または一部をダウンロードすることも可能である。
【０１６０】
また、本発明に係るプログラムを、コンピュータで読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ（登録商標）  Ｄｉｓｃ等の任意の「可搬用の物理媒体」を含むものとする。
【０１６１】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１６２】
記憶部１０６、３０６、４０６および記憶部２０６に格納される各種のデータベース等（例えば、パーツ情報データベース２０６ａ、管理データベース２０６ｂ、設計データベース２０６ｃ、施工データベース２０６ｄ、決定データベース２０６ｅ、工事データベース２０６ｆ、保守データベース２０６ｇ、ＢＩＭデータベース３０６ａ、４０６ａ等）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１６３】
また、端末装置１００、３００、４００およびサーバ装置２００は、既知のパーソナルコンピュータ、ワークステーション等の情報処理装置として構成してもよく、また、該情報処理装置に任意の周辺装置を接続して構成してもよい。また、端末装置１００、３００、４００およびサーバ装置２００は、該情報処理装置に本発明の方法を実現させるソフトウェア（プログラム、データ等を含む）を実装することにより実現してもよい。
【０１６４】
また、本実施形態は、建設業者及び施工業者が用いる情報処理装置として、端末装置用いる例について説明したが、例えば、サーバ装置等の他の情報処理装置を用いても良い。また、昇降機メーカも情報処理装置として、サーバ装置２００や端末装置１００を用いる例に制限するものではなく、他の情報処理装置を用いても良い。また、サーバ装置２００と端末装置１００との構成を組み合わせた情報処理装置を用いても良い。
【０１６５】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【０１６６】
以上で説明した実施形態に係るＢＩＭシステムおよび方法によれば、建築工程の各工程に共通する識別情報を用いて、昇降機のパーツ情報を管理することで、建築工程で情報を交換する業者が変更された場合や、建設工程のうち現在がどの工程であるか否かにかかわらず、共通する識別情報で昇降機を特定できるため、昇降機の管理を容易にすることができる。
【符号の説明】
【０１６７】
１００…端末装置、１０２…制御部、１０２ａ…情報通信部（通信手段）、１０２ｂ…表示編集部、１０４…通信制御インターフェース部、１０６…記憶部、１０８…入出力制御インターフェース部、１１４…表示部、１１６…入力部、２００…サーバ装置（第１の情報処理装置）、２０２…制御部、２０２ａ…キー生成部（識別情報生成手段）、２０２ｂ…登録部（登録手段）、２０２ｃ…昇降機モデリング部、２０２ｄ…情報送受信部（情報送受信手段）、２０４…通信制御インターフェース部、２０６…記憶部、２０６ａ…パーツ情報データベース（パーツ情報記憶手段）、２０６ｂ…管理データベース、２０６ｃ…設計データベース（工程管理記憶手段）、２０６ｄ…施工データベース（工程管理記憶手段）、２０６ｅ…決定データベース、２０６ｆ…工事データベース（工程管理記憶手段）、２０６ｇ…保守データベース（工程管理記憶手段）、３００…端末装置、３０２…制御部（第２の情報処理装置）、３０２ａ…工程管理アプリケーション、３０２ｂ…キー要求部（要求手段）、３０２ｃ…切出制御部（切出制御手段）、３０２ｄ…パーツ送信部（送信手段）、３０２ｅ…パーツ取得部（取得手段）、３０２ｆ…デザイン要求部、３０２ｇ…承認部（受付手段）、３０４…通信制御インターフェース部、３０６…記憶部、３０６ａ…ＢＩＭデータベース（ＢＩＭモデル記憶手段）、３０８…入出力制御インターフェース部、３１４…表示部、３１６…音声出力部、３１８…入力部、４００…端末装置、４０２…制御部、４０２ａ…工程管理アプリケーション、４０４…通信制御インターフェース部、４０６…記憶部、４０８…入出力制御インターフェース部、４１４…表示部、４１６…音声出力部、４１８…入力部、５００…ネットワーク、５５０…社内ネットワーク。
【図１】
0006320987.tif 000002
【図２】
0006320987.tif 000003
【図３】
0006320987.tif 000004
【図４】
0006320987.tif 000005
【図５】
0006320987.tif 000006
【図６】
0006320987.tif 000007
【図７】
0006320987.tif 000008
【図８】
0006320987.tif 000009
【図９】
0006320987.tif 000010
【図１０】
0006320987.tif 000011
【図１１】
0006320987.tif 000012
【図１２】
0006320987.tif 000013
【図１３】
0006320987.tif 000014
【図１４】
0006320987.tif 000015